(57)【特許請求の範囲】
【請求項１】
２−３プルダウン方式でインターレース信号に変換されたテレシネ映像信号において、編集などによりテレシネ信号の１部分が欠落した場合に当該欠落部分を検出し、連続的にテレシネ変換されているか否かを判定するテレシネ映像信号検出装置であって、
前記テレシネ映像信号の第１のフィールドと、当該フィールドより少なくとも１フィールド以上離れた第２のフィールドとの間での画像の動きを検出して動き検出信号を生成する動き検出手段と、
前記動き検出信号を１フィールド間累積加算して第１統計信号を生成する第１統計処理手段と、
前記第１統計信号に基づいて、前記第１のフィールドがテレシネ変換された映像であるか否かを判定して第１テレシネ判定信号を生成する第１のテレシネ判定手段と、
前記テレシネ映像信号について１フィールド間ヒストグラム演算を行い映像の統計情報を含む第２統計信号を生成する第２の統計処理手段と、
前記第２統計信号を少なくとも１フィールド遅延させて遅延第２統計信号を生成する１フィールド遅延手段と、
前記第２統計信号と前記遅延第２統計信号と所定の閾値とに基づいて、前記テレシネ映像におけるシーンチェンジを検出してシーンチェンジ検出信号を生成するシーンチェンジ検出手段と、
前記シーンチェンジ検出信号と第１テレシネ判定信号に基づいて、前記第１のフィールドが連続的にテレシネ変換された映像であるか否かを判定して第２テレシネ判定信号を生成する第２の判定手段と、
前記第１テレシネ判定信号および第２テレシネ判定信号のＡＮＤ演算を行うＡＮＤ演算手段とを備え、当該ＡＮＤ演算結果に基づいて前記第１フィールドが連続的にテレシネ変換された映像であるか否かを示すことを特徴とするテレシネ映像信号検出装置。
【請求項２】
前記所定の閾値は複数であり、前記シーンチェンジ検出手段は適応的にシーンチェンジを検出することを特徴とする請求項１に記載のテレシネ映像信号検出装置。
【請求項３】
前記第２統計処理手段は複数の第２統計信号を出力し、
前記シーンチェンジ検出手段は、
個々が前記複数の第２統計信号のそれぞれに対応して、複数のシーンチェンジ検出信号を生成する複数のシーンチェンジ検出回路と、
前記複数のシーンチェンジ検出信号を入力としてＯＲ演算を行うＯＲ演算手段とを備え、
前記複数のシーンチェンジ検出信号のＯＲ演算結果をもって、前記映像信号のシーンチェンジを検出することを特徴とする請求項１に記載のテレシネ映像信号検出装置。
【請求項４】
前記第１の判定手段は、前記第１統計信号を５フィールド遅延させてタイミング信号を生成する５フィールド遅延手段を備え、
前記タイミング信号に基づいて、前記第１テレシネ判定信号および第２テレシネ判定信号の何れかを選択的に出力する選択手段を備え、前記映像信号がテレシネ変換された映像であるか否かを連続的に判別することを特徴とする請求項１に記載のテレシネ映像信号検出装置。
【請求項５】
前記遅延第２統計信号をさらに２フィールド遅延させて遅延第３統計信号を生成する２フィールド遅延手段と、
前記第１テレシネ判定信号に基づいて、前記動き検出信号と前記映像信号の何れかをフィールド単位で、前記第１統計処理手段に選択的に入力させる第１スイッチ手段と、
前記第１スイッチ手段で前記第１統計処理手段への入力を切り替えながら統計処理を行うことで、当該第１統計処理手段のみで前記動き検出信号を１フィールド間累積した結果と入力信号の１フィールド間の統計処理結果を出力し、シーンチェンジ検出手段の出力に応じて当該第１統計信号を前記第１テレシネ判定手段と前記シーンチェンジ検出手段の何れに入力するかを切り替える第２スイッチ手段とをさらに備える請求項４に記載のテレシネ映像信号検出装置。
【発明の詳細な説明】
【０００１】
【発明の属する技術分野】
本発明は、カラーテレビジョン受像機のテレシネ映像信号検出装置に関し、さらに詳述すれば、編集作業等の処理により生じる不連続なテレシネ信号に対しても逐次テレシネ映像信号が検出できるテレシネ映像信号検出装置を提供することを目的とする。
【０００２】
【従来の技術】
近年、テレビジョンにおける映像再生手法が多様化し、高画質化への要求もますます高まりつつある。インターレース信号を順次走査で映像信号を再生する場合、２４コマのフィルム映像を２−３プルダウン方式でインターレース信号に変換されたテレシネ映像信号の入力に対して、それを検出してテレシネ変換前の映像に対応する信号を復元することは、インターレースによる画質劣化を抑え、高画質化を図るという点で重要である。
【０００３】
図１３に、従来のテレシネ映像信号検出装置の構成を示す。テレシネ映像信号検出装置Ｄｔｃは、前置フィルタ１００、１フレーム遅延回路１２０、動きベクトル検出回路１４０、比較検出回路１６０、多数決回路１８０、５フィールド遅延回路２００、および判定回路２２０を含む。前置フィルタ１００は、外部の映像信号源（図示せず）からテレシネ映像信号検出装置Ｄｔｃに入力される映像信号Ｓｖ’のノイズを除去して、映像信号Ｓｖとして出力する。１フレーム遅延回路１２０は、前置フィルタ１００から出力された映像信号Ｓｖを１フレーム（２フィールド）分だけ遅延させて、遅延映像信号Ｓｖｄを出力する。
【０００４】
動きベクトル検出回路１４０は、１フレーム遅延回路１２０から出力される遅延映像信号Ｓｖｄと現在の映像信号Ｓｖとを比較して、それぞれのフィールド間での映像の動きを検出して、動きベクトルＳｍを複数個出力する。
比較検出回路１６０は、動きベクトル検出回路１４０から出力された複数の動きベクトルＳｍを基準値（α、β）と比較する。そして、比較検出回路１６０は動きベクトルＳｍの内、基準値（α、β）より小さなものを小動きベクトルＳｍｓとして出力する。
多数決回路１８０は、比較検出回路１６０から出力されてくる小動きベクトルＳｍｓの度数分布をとり、同じ大きさの小動きベクトルＳｍｓを検出して検出結果を、５フィールド遅延回路２００および判定回路２２０に供給する。
【０００５】
判定回路２２０は、基準値（α、β）以下の同じ値の小動きベクトルＳｍｓを計数してその個数が所定値γ以上となるフィールドが５フィールド毎に現れる場合に、その映像信号をテレシネ映像信号と判定する判定信号ＳＦを生成する。
【０００６】
以上のように構成された従来のテレシネ映像信号検出装置Ｄｔｃにおいては、１フレーム（２フィールド）間で同じ値の動きベクトルが所定値以上となるフィールドに注目し、そのフィールドが５フィールド毎に現れる時にテレシネ映像信号と判定する。この判定の考え方については、後ほど図１４を参照して更に説明する。
【０００７】
図１４、図１５、および図１６を参照して、テレシネ映像信号検出装置Ｄｔｃの判定回路２２０における判定動作について詳しく説明する。図１４に判定回路２２０において観察される各種信号を示す。
先ず、図１４において、最上段に示すＣｃ１〜Ｃｃ２２は、テレシネ映像信号検出装置Ｄｔｃにおける制御サイクルを表す。なお、本例において制御サイクルＣｃ１〜Ｃｃ２２のそれぞれは、映像信号Ｓｖのフィールド期間に相当する。映像信号Ｓｖは、フィールド期間毎にフィールドデータＡ１、Ａ２、Ｂ１、Ｂ２、Ｂ１、Ｃ２、Ｃ１、Ｄ２、Ｄ１、Ｄ２、Ｅ１、Ｅ２、Ｆ１、Ｆ２、Ｆ１、Ｇ２、Ｇ１、Ｈ２、Ｈ１、Ｊ２、Ｋ１、Ｌ２、・・・の順番で入力される。
【０００８】
フィールドデータは、それぞれアルファベットに数字の接尾辞を付して生成される識別子によって識別される。アルファベットはデータが生成された元の画像を示し、そして接尾辞の数字は同一の画像から作られた何枚目のフィールドデータであるかを示している。つまり、上述の映像信号Ｓｖの場合、アルファベットＡ、Ｂ、Ｃ、Ｄ、Ｅ、Ｆ、Ｇ、Ｈ、Ｊ、Ｋ、Ｌがそれぞれ独立した画像のフィールドデータである。そして、同一アルファベットに異なる接尾辞（１および２）を付して表されているフィールドデータは、上述の如く本来同一のフィルム画像から生成されており、当然フィールド間で画像の動きが非常に小さい。また、識別子が同一のフィールドデータは、当然同一画像である。このように、同一アルファベットで異なる接尾辞を有する識別子で表されるフィールドデータを同源フィールドデータを呼ぶ。
【０００９】
この観点から、映像信号Ｓｖを観てみると、制御サイクルＣｃ１およびＣｃ２には、同一の画像から生成された同源フィールドデータＡ１およびＡ２が配されている。そして、後続の制御サイクルＣｃ３およびＣｃ５に同一のフィールドデータＢ１が配置され、その間の制御サイクルＣｃ４にフィールドデータＢ１と同一画像から生成されたフィールドデータＢ２が配置されている。
【００１０】
同様に、制御サイクルＣｃ６およびＣｃ７に同源フィールドデータＣ１およびＣ２が、制御サイクルＣｃ８およびＣｃ９に同源フィールドデータＤ２およびＤ１が、そして制御サイクルＣｃ１０にフィールドデータＤ２と同一（フィールドデータＤ１と同源）フィールドデータＤ２が配されている。
このように、連続する５フィールド単位で（繰り返して）、２つの同源フィールドデータと３つの同源フィールドデータ（その内、両端の２つは同一フィールドデータ）を配して、それぞれフレームレートの異なるフィルム映像データをテレビ用映像データに変換する様式が２−３プルダウン方式と呼ばれるものである。上述の連続する５フィールドをテレシネ映像単位Ｔｕと呼ぶ。
【００１１】
この場合、映像信号Ｓｖは、制御サイクルＣｃ１〜Ｃｃ１９の間はテレシネ映像Ｖｔであり、制御サイクルＣｃ２０〜Ｃｃ２２の間は非テレシネ映像Ｖｎｔである。制御サイクルＣｃ１〜Ｃｃ５にテレシネ映像単位Ｔｕ１、制御サイクルＣｃ６〜Ｃｃ１０にテレシネ映像単位Ｔｕ２、制御サイクルＣｃ１１〜Ｃｃ１５にテレシネ映像単位Ｔｕ３、そして制御サイクルＣｃ１６〜１９にテレシネ映像単位Ｔｕ４が構成されている。なお、テレシネ映像単位Ｔｕ４は５フィールドでなく４フィールドで構成されている。つまり、制御サイクルＣｃ２０には、テレシネ映像単位Ｔｕ４の一部（最終端）に配置されるべき１フレーム（２フィールド）前のフィールドデータと同一のフィールドデータＨ２の代わりに、異なる画像フィールドデータＪ２が配置されている。つまり、図１４においては、テレシネ映像Ｖｔが不完全な状態（テレシネ映像単位Ｔｕが４フィールド）で、非テレシネ映像Ｖｎｔに切り替わっている例を示している。
【００１２】
テレシネ映像Ｖｎは、２４フレーム／秒の映画画像を２−３プルダウン方式で、３０フレーム（６０フィールド）のインターレースのテレビ映像に変換されたものである。非テレシネ映像Ｖｎｔとは、３０フレーム（６０フィールド）／秒のインターレース方式画像や、６０フレーム／秒のプログレッシブ方式のテレビ映像である。実際の放送においても、このようなテレシネ映像Ｖｔと非テレシネ映像Ｖｎｔが混在されて配信される。それゆえ、特にテレシネ映像Ｖｔと非テレシネ映像Ｖｎｔの切り替わる際に特別な処理が必要である。
【００１３】
判定回路２２０は、上述の映像信号Ｓｖの入力に対して、映像信号Ｓｖの内容を判定して、内部変数ＩＰ＿ｍｏｄｅおよびＭｏｄｅ＿ｆを生成する。判定回路２２０は、さらに、これらの内部変数に基づいて映像信号Ｓｖの内容に応じて出力する映像信号Ｓｉの構成を指示する出力フラグＦを生成する。なお、この出力フラグＦは、判定信号ＳＦに相当する。
具体的に述べると、映像信号Ｓｖのフィールドがテレシネ画像であると判断される場合はＩＰ＿ｍｏｄｅ＝Ｆｉｌｍが出力され、そうでないと判断される場合にはＩＰ＿ｍｏｄｅ＝ＩＰが出力されて映像の種類を示す。なお、連続する２つのテレシネ映像単位Ｔｕ内で、現在のフィールドデータが２つ前（２制御サイクル前）のフィールドデータと同一であると２回判定された時点で、映像信号Ｓｖはテレシネ映像であると判断してＩＰ＿ｍｏｄｅ＝Ｆｉｌｍが出力され、それ以外はＩＰ＿ｍｏｄｅ＝ＩＰが出力される。このようにテレシネ映像Ｖｔの判定は、必然的に映像信号Ｓｖの実際の内容の変化に対して少なくとも２制御サイクル遅れる。
【００１４】
また、一旦、映像信号Ｓｖのフィールドがテレシネ画像になったと判断された場合は、判定された時点のフィールドに続く５つのフィールドでテレシネ映像単位Ｔｕが構成されると見なす。このように見なされたテレシネ映像単位Ｔｕに続く、３つ目のフィールドが２つ後のフィールドと同一でないと判定された時点で、このフィールドは非テレシネ映像Ｖｎｔであると判断されて、ＩＰ＿ｍｏｄｅ＝ＩＰが出力される。非テレシネ映像Ｖｎｔの判定は、必然的に映像信号Ｓｖの実際の内容の変化に対して少なくとも２制御サイクル遅れる。つまり、ＩＰ＿ｍｏｄｅの値と、映像信号Ｓｖの内容は完全に一致しているのではない。
【００１５】
Ｍｏｄｅ＿ｆは、映像信号Ｓｖのフィールドがテレシネ画像である可能性が認められる場合に、テレシネ映像単位Ｔｕ内の５フィールド毎に繰り返すテレシネパターンの何番目のフィールドであるかを０から４の数字で示す。出力フラグＦは、ＩＰ＿ｍｏｄｅおよびＭｏｄｅ＿ｆの値に基づいて、０または１の数字を出力して映像信号Ｓｉの構成方法を示す。つまり、出力フラグＦが０の場合は、入力されている映像信号Ｓｖは非テレシネ映像Ｖｎｔであると見なして、映像信号Ｓｉを構成することを指示する。出力フラグＦが１の場合は、入力されている映像信号Ｓｖがテレシネ映像Ｖｔであるとして映像信号Ｓｉを構成することを指示する。
【００１６】
以下に、上述のテレシネ映像信号検出装置Ｄｔｃの動作について、制御サイクル毎に具体的に説明する。
（Ｃｃ１〜Ｃｃ５：テレシネ映像単位Ｔｕ１）
先ず、制御サイクルＣｃ１およびＣｃ５においては、映像信号Ｓｖはテレシネ映像Ｖｔであり、テレシネ映像単位Ｔｕ１を構成している。同一のフィールドデータＢ１が制御サイクルＣｃ３およびＣｃ５に配置されている。
しかしながら、判定回路２２０の動作開始直後であるので、上述のテレシネ映像Ｖｔの判定条件である「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」を満たさないので、一制御サイクル毎に、ＩＰ＿ｍｏｄｅ＝ＩＰが出力される。
【００１７】
よって、Ｍｏｄｅ＿ｆ＝０および出力フラグＦ＝０となる。制御サイクルＣｃ１においては、映像信号Ｓｉは生成されない。一方、制御サイクルＣｃ２において、制御サイクルＣｃ１に入力されたフィールドデータＡ１と、それを１フィールド（制御サイクル）分だけ遅延させた遅延フィールドデータＡ１’とで１フレーム分の画像信号Ｓｉを生成するように指示する。同様に、制御サイクルＣｃ３〜Ｃｃ５における映像信号Ｓｉはそれぞれ、フィールドデータＡ２（Ｃｃ２）とその遅延フィールドデータＡ２’、フィールドデータＢ１（Ｃｃ３）とその遅延フィールドデータＢ１’、フィールドデータＢ２（Ｃｃ４）とその遅延フィールドデータＢ２’、フィールドデータＢ１（Ｃｃ５）とその遅延フィールドデータＢ１’から構成される映像信号Ｓｉが、それぞれ１フィールド（制御サイクル）分だけ遅れて制御サイクルＣｃ４、Ｃｃ５、およびＣｃ６に出力される。
【００１８】
（Ｃｃ６〜Ｃｃ１０：テレシネ映像単位Ｔｕ２）
制御サイクルＣｃ６およびＣｃ９においては、引き続き映像信号Ｓｖがテレシネ映像Ｖｔであると判定する条件が満たされないので、制御サイクルＣｃ６〜Ｃｃ９に渡って、映像信号Ｓｖはテレシネ映像Ｖｔであるにも拘わらず、ＩＰ＿ｍｏｄｅ＝ＩＰが出力される。一方、先行するテレシネ映像単位Ｔｕ１の制御サイクルＣｃ５におけるフィールドデータＢ１は、その２フィールド前（１制御サイクルＣｃ３）と同一であるので、テレシネ映像単位Ｔｕ２はテレシネ映像Ｖｔである可能性が認められるので、Ｍｏｄｅ＿ｆ＝１（Ｃｃ６）、２（Ｃｃ７）、３（Ｃｃ８）、および４（Ｃｃ９）が出力される。
【００１９】
そして、制御サイクルＣｃ１０におけるフィールドデータＤ２は、２フィールド前（Ｃｃ８）のフィールドデータと同一であり、かつ「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」を満たされるので、ＩＰ＿ｍｏｄｅ＝Ｆｉｌｍが出力される。
結果、制御サイクルＣｃ１０において、Ｍｏｄｅ＿ｆ＝０および出力フラグＦ＝１が出力される。
【００２０】
結果、制御サイクルＣｃ６〜Ｃｃ９においては、フィールドデータＣ２（Ｃｃ６）とその遅延フィールドデータＣ２’、フィールドデータＣ１（Ｃｃ７）とその遅延フィールドデータＣ１’、フィールドデータＤ２（Ｃｃ８）とその遅延フィールドデータＤ２’、およびフィールドデータＤ１（Ｃｃ９）およびその遅延フィールドデータＤ１’から構成される映像信号Ｓｉが、それぞれ制御サイクルＣｃ７〜Ｃｃ１０に出力される。
【００２１】
ただし、制御サイクルＣｃ１０においては、ＩＰ＿ｍｏｄｅ＝ＦｉｌｍおよびＭｏｄｅ＿ｆ＝０であるので、出力フラグＦ＝１が出力される。結果、同源フィールドデータＤ２およびＤ１で構成される映像信号Ｓｉが制御サイクルＣｃ１１に出力される。
【００２２】
（Ｃｃ１１〜Ｃｃ１５：テレシネ映像単位Ｔｕ３）
制御サイクルＣｃ１１〜Ｃｃ１５においては、映像信号Ｓｖは引き続きテレシネ映像Ｖｔであるので、ＩＰ＿ｍｏｄｅ＝Ｆｉｌｍが出力され、Ｍｏｄｅ＿ｆは１（Ｃｃ１１）、２（Ｃｃ１２）、３（Ｃｃ１３）、４（Ｃｃ１４）、および０（Ｃｃ１５）が出力される。結果、出力フラグＦ＝１が出力され続ける。
【００２３】
出力フラグＦ＝１に基づいて、先行するテレシネ映像単位Ｔｕ２と同様に、本テレシネ映像単位Ｔｕ３中は、現制御サイクルのフィールドデータと、１制御サイクル前のフィールドデータから、１制御サイクル後のフレーム（Ｓｉ）が構成されて出力される。
【００２４】
（Ｃｃ１６〜Ｃｃ１９：テレシネ映像単位Ｔｕ４）
制御サイクルＣｃ１６〜Ｃｃ１９においては、映像信号Ｓｖは引き続きテレシネ映像Ｖｔであるので、ＩＰ＿ｍｏｄｅ＝Ｆｉｌｍが出力され、Ｍｏｄｅ＿ｆは１（Ｃｃ１６）、２（Ｃｃ１７）、３（Ｃｃ１８）、および４（Ｃｃ１９）が出力される。結果、出力フラグＦ＝１が出力され続ける。そして、出力フラグＦ＝１に基づいて、先行するテレシネ映像単位におけるのと同様に現制御サイクルのフィールドデータと、１制御サイクル前のフィールドデータから、１制御サイクル後のフレーム（Ｓｉ）が構成されて出力される。なお、上述のようにテレシネ映像単位Ｔｕ４は、５フィールドではなく４フィールドと途中で切れている。
【００２５】
（Ｃｃ２０〜Ｃｃ２２：非テレシネ映像Ｖｎｔ）
本来ならば、先行するテレシネ映像単位Ｔｕ４の５番目のフィールドに相当する制御サイクルＣｃ２０においては、２つ前のフィールドデータＨ２と無関係なフィールドデータＪ２が配されてテレシネ映像単位Ｔｕ４が中断されている。
よって、制御サイクルＣｃ２０〜Ｃｃ２２の間は、ＩＰ＿ｍｏｄｅ＝ＩＰ、Ｍｏｄｅ＿ｆ＝０、および出力フラグＦ＝０が出力される。結果、制御サイクルＣｃ１〜Ｃｃ５におけるのと同様に、入力フィールドデータＪ２（Ｃｃ２０）とその遅延フィールドデータＪ２’、入力フィールドデータＫ１（Ｃｃ２１）とその遅延フィールドデータＫ１’、および入力フィールドデータＬ２（Ｃｃ２２）とその遅延フィールドデータＬ２’とで画像信号Ｓｉが生成される。
【００２６】
次に、図１５に示すフローチャートを参照して、図１４に示した場合の判定回路２２０の動作についてさらに詳しく説明する。テレシネ映像信号検出装置Ｄｔｃに通電されて、その動作が開始されると、先ず判定回路２２０において、ＩＰ＿ｍｏｄｅ、Ｍｏｄｅ＿ｆ、出力フラグＦ、およびＣｏｕｎｔｅｒの値はそれぞれの初期値に、つまりＩＰ＿ｍｏｄｅ＝ＩＰ、Ｍｏｄｅ＿ｆ＝０、出力フラグＦ＝０、およびテレシネ映像単位カウンタＣｏｕｎｔｅｒ＝０にセットされる。
上述の如く、Ｍｏｄｅ＿ｆは０（映像信号Ｓｖはテレシネ映像でない）に初期セットされているので、ステップＳ２０２においてＹｅｓと判断されて、処理は次のステップＳ２０４に進む。なお、テレシネ映像単位カウンタＣｏｕｎｔｅｒは現フィールドが、連続するテレシネ映像Ｖｔにおいて何番目のテレシネ映像単位Ｔｕに含まれるかを数字で示す。
【００２７】
先ず、ステップＳ２０２において、Ｍｏｄｅ＿ｆ＝０であるか否かが判断される。Ｙｅｓ、つまり映像信号Ｓｖは非テレシネ映像Ｖｎｔであると判断される場合は、処理はステップＳ２０４に進む。
【００２８】
ステップＳ２０４において、動画素数Ｎｐｍが第一の閾値Ａｔｈより小さいか否かが判断される。Ｙｅｓの場合は、フィールド間の映像の動きがない、つまりテレシネ映像であると判断されて、処理はステップＳ２１２に進む。
【００２９】
ステップＳ２１２において、テレシネ映像単位カウンタＣｏｕｎｔｅｒが１だけインクリメントされる。そして、処理は次のステップＳ２１４に進む。
【００３０】
ステップＳ２１４において、Ｃｏｕｎｔｅｒの値が第２の閾値Ｂｔｈより大きいか否かが判断される。なお、第２の閾値Ｂｔｈは、図１４で示した例においては１である。Ｙｅｓ、つまり映像信号Ｓｖがテレシネ映像Ｖｔであると判断される場合は、処理はステップＳ２１６に進む。
【００３１】
ステップＳ２１６において、ＩＰ＿ｍｏｄｅ＝Ｆｉｌｍが出力される。そして、処理は次のステップＳ２１８に進む。
【００３２】
一方、ステップＳ２１４においてＮｏ、つまり映像信号Ｓｖが非テレシネ映像Ｖｎｔであると判断される場合には、処理はステップＳ２１６をスキップして、ステップＳ２１８に進む。
【００３３】
さらに、上述のステップＳ２０２においてＮｏ、つまり映像信号Ｓｖはテレシネ映像Ｖｔであると判断される場合には、処理はステップＳ２１８に進む。
【００３４】
ステップＳ２１８においては、Ｍｏｄｅ＿ｆが１だけインクリメントされる。そして、処理は次のステップＳ２２０に進む。
【００３５】
ステップＳ２２０において、Ｍｏｄｅ＿ｆを５で割った場合の余りを求める。この結果、Ｍｏｄｅ＿ｆの値が５以上になるような場合においても、常に４以下の数に調整される。これは、テレシネ映像は５フィールド単位で固定されたパターン（テレシネ映像単位Ｔｕ）で映像が形成されるので、現在の映像信号Ｓｖがその５フィールド単位（テレシネ映像単位Ｔｕ）の何番目であるか識別する処理である。なお、この場合、Ｍｏｄｅ＿ｆ＝１が得られる。そして、処理は次のステップＳ２２２に進む。
【００３６】
一方、上述のステップＳ２０４においてＮｏ、つまりフィールド間の映像の動きがある非テレシネ映像Ｖｎｔであると判断される場合、処理はステップＳ２０６に進む。
【００３７】
ステップＳ２０６において、テレシネ映像単位カウンタＣｏｕｎｔｅｒは０にセットされる。そして、処理は次のステップＳ２０８に進む。
【００３８】
ステップＳ２０８において、ＩＰ＿ｍｏｄｅ＝ＩＰが出力される。そして、処理は次のステップＳ２１０に進む。
【００３９】
ステップＳ２１０において、Ｍｏｄｅ＿ｆ＝０が出力される。そして、処理はステップＳ２２２に進む。
【００４０】
ステップＳ２２２においては、ステップＳ２２０あるいはステップＳ２１０の処理を経た後に、ＩＰ＿ｍｏｄｅ＝Ｆｉｌｍであるか否かが判断される。ステップＳ２２０の処理後であれば、ステップＳ２１６でＩＰ＿ｍｏｄｅ＝Ｆｉｌｍにセットされているので、当然Ｙｅｓと判断されて処理はステップＳ２２６に進む。一方、ステップＳ２１０の処理後であれば、ステップＳ２０８でＩＰ＿ｍｏｄｅ＝ＩＰとセットされているので、当然Ｎｏと判断されて処理はステップＳ２２４に進む。
【００４１】
ステップＳ２２４においては、出力フラグＦの値が０にセットされる。そして、非テレシネ映像に対応するフレーム構成を有する映像信号Ｓｉが指示される。そして、処理はステップＳ２０２に戻って、上述の処理を繰り返す。
【００４２】
一方、ステップＳ２２６においては、出力フラグＦの値が１にセットされる。そして、テレシネ映像に対応するフレーム構成を有する映像信号Ｓｉが指示される。そして、処理はステップＳ２０２に戻って、上述の処理を繰り返す。
【００４３】
次に、図１６を参照して、図１５に示したフローチャートに基づいて、図１３に示す判定回路２２０の制御サイクル毎の動作について、詳しく説明する。なお、図１６は、図１５のフローチャートの各ステップにおけるパラメータの値を示している。
【００４４】
上述のように、判定回路２２０の動作開始時に、判定回路２２０内のパラメータは初期値（ＩＰ＿ｍｏｄｅ＝ＩＰ、Ｍｏｄｅ＿ｆ＝０、出力フラグＦ＝０、およびテレシネ映像単位カウンタＣｏｕｎｔｅｒ＝０）にセットされている。
よって、制御サイクルＣｃ１においては、テレシネ映像ＶｔのフィールドデータＡ１が入力されて処理対象となる。しかしながら、動作開始直後であるので、ステップＳ２０２でＹｅｓ、ステップＳ２０４でＮｏ（動き比較対象となるフィールドデータがないため）、ステップＳ２０６でＣｏｕｎｔｅｒ＝０、ステップＳ２０８でＩＰ＿ｍｏｄｅ＝ＩＰ、ステップＳ２１０でＭｏｄｅ＿ｆ＝０、ステップＳ２２２でＮｏ、そしてステップＳ２２４でＦ＝０となる。
【００４５】
制御サイクルＣｃ２〜Ｃｃ４においては、それぞれテレシネ映像ＶｔのフィールドデータＡ２（Ｃｃ２）、Ｂ１（Ｃｃ３）、およびＢ２（Ｃｃ４）が入力されて、上述の制御サイクルＣｃ１における処理と同じ内容の処理が行われる。ただし、ステップＳ２０４における比較対象は、フィールドデータＡ１とデータＢ１（Ｃｃ３）、およびフィールドデータＡ２とＢ２（Ｃｃ４）である。
【００４６】
制御サイクルＣｃ５においては、テレシネ映像ＶｔのフィールドデータＢ１が入力されて処理対象となる。結果、ステップＳ２０２でＹｅｓ、ステップＳ２０４でＹｅｓ（フィールドデータＢ１とＢ１が動き比較対象）、ステップＳ２１２でＣｏｕｎｔｅｒ＝１、Ｓ２１４でＮｏ、ステップＳ２１８およびＳ２２０でＭｏｄｅ＿ｆ＝１、ステップＳ２２２でＮｏ、そしてＳ２２４でＦ＝０となる。
【００４７】
制御サイクルＣｃ６においては、引き続きテレシネ映像ＶｔのフィールドデータＣ２が入力されて処理対象になる。結果、ステップＳ２０２でＮｏ、ステップＳ２１８およびＳ２２０でＭｏｄｅ＿ｆ＝２、ステップＳ２２２でＮｏ、そしてＳ２２４でＦ＝０となる。
【００４８】
制御サイクルＣｃ７〜Ｃｃ９においては、引き続きテレシネ映像ＶｔのフィールドデータＣ１、Ｄ２、およびＤ１が入力されて処理対象になる。結果、制御サイクルＣｃ６におけるのと同様に、ステップＳ２０２、Ｓ２１８、Ｓ２２０、Ｓ２２２、そしてＳ２２４の処理を経る。ただし、制御サイクルが進むにつれて、ステップＳ２２０におけるＭｏｄｅ＿ｆの値は３、４、０と変化する。なお、ステップＳ２２４おける出力フラグＦの値は０である。
【００４９】
制御サイクルＣｃ１０においては、２フィールド前（Ｃｃ８）のフィールドデータと同一フィールドデータＤ２が入力される。結果、制御サイクルＣｃ５に引き続いて、同一フィールドデータが検出されて、上述の「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」の条件が満たされる。よって、ステップＳ２０２でＹｅｓ、ステップＳ２０４でＹｅｓ、ステップＳ２１２でＣｏｕｎｔｅｒ＝２、ステップＳ２１４でＹｅｓ、ステップＳ２１６でＩＰ＿ｍｏｄｅ＝Ｆｉｌｍにセットされ、ステップＳ２１８およびステップＳ２２０を経てＭｏｄｅ＿ｆ＝１、ステップＳ２２２でＹｅｓ、そしてステップＳ２２６で出力フラグＦ＝１にセットされる。
【００５０】
以降、制御サイクルＣｃ１１〜Ｃｃ１９においては、ステップＳ２０２でＮｏ、ステップＳ２１８およびステップＳ２２０を経て、ステップＳ２２２でＹｅｓ、そしてステップＳ２２６で出力フラグＦ＝１が出力される。なお、この間ステップＳ２２０において、一制御サイクル毎にＭｏｄｅ＿ｆの値として、２（Ｃｃ１１、Ｃｃ１６）、３（Ｃｃ１２、Ｃｃ１７）、４（Ｃｃ１３、Ｃｃ１８）、０（Ｃｃ１４、Ｃｃ１９）が出力される。また、制御サイクルＣｃ１５において、テレシネ映像単位カウンタＣｏｕｎｔｅｒの値はステップＳ２１２において３にインクリメントされる。
【００５１】
制御サイクルＣｃ２０〜Ｃｃ２２における処理は、上述制御サイクルＣｃ３における処理と同様である。
このようにして、非テレシネ映像Ｖｎｔとテレシネ映像Ｖｔが混在する映像信号Ｓｖに対して、正しいフレーム構成を有する映像信号Ｓｉを生成することができる。
【００５２】
【発明が解決しようとする課題】
しかしながら上記のような構成では、１フレーム間で同じ値の動きベクトルが所定値以上とならないフィールドについては、テレシネ映像信号であるか否か判定することができないため、特に編集などによりテレシネ信号の一部分が欠落した場合にその部分を検出することができず、テレシネ映像単位Ｔｕに相当すると見なされる最大４フィールド間はテレシネ信号であると誤検出が起こり得る。
【００５３】
図１７を参照して、上述の問題について具体的に説明する。図１７は図１４に示したのと同様に、最上段に示すＣｃ６１〜Ｃｃ７１は、テレシネ映像信号検出装置Ｄｔｃにおける制御サイクルを表す。映像信号Ｓｖは、フイールド期間毎に、フィールドデータＥ２、Ｆ１、Ｆ２、Ｆ１、Ｇ２、Ｇ１、Ｈ２、Ｉ１、Ｊ２、Ｋ１、およびＬ２の順番で入力される。この場合、映像信号Ｓｖは、制御サイクルＣｃ６１〜Ｃｃ６７の間はテレシネ映像Ｖｔであり、制御サイクルＣｃ６８〜Ｃｃ７１の間は非テレシネ映像Ｖｎｔである。
【００５４】
なお、制御サイクルＣｃ６１〜Ｃｃ７１においては、制御サイクルＣｃ６８を除いて、図１４における制御サイクルＣｃ１２〜Ｃｃ２２におけると同じフィールドデータが入力されている。ただし、制御サイクルＣｃ６８においては編集作業の結果、１つ前のフィールドデータＨ１と同源フィールドデータＨ２ではなく、異なる画像のフィールドデータＩ１が入力されている。なお、図示されていないが、制御サイクルＣｃ６１より前の制御サイクルにはテレシネ映像Ｖｔが入力されている。
【００５５】
つまり、制御サイクルＣｃ６０〜Ｃｃ６４は完全なテレシネ映像単位Ｔｕｘ（ｘは任意の整数）である。先行する制御サイクルから制御サイクルＣｃ６４までは、上述の「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」の条件が満たされる。それゆえ、制御サイクルＣｃ６５において、テレシネ映像単位Ｔｕｘに続くテレシネ映像単位Ｔｕｘ＋１が開始しているものと見なし、連続する制御サイクルＣｃ６５、Ｃｃ６６、Ｃｃ６７、およびＣｃ６８において、上述の制御サイクルＣｃ１６〜Ｃｃ１８と同様に、ＩＰ＿ｍｏｄｅ＝Ｆｉｌｍ、Ｍｏｄｅ＿ｆとして１、２、３、および４が、出力フラグＦ＝１が出力される。
【００５６】
よって、制御サイクルＣｃ６８においては、出力フラグＦ＝１であるために、本来同源フィールドデータであるＨ１とＨ２で構成されるべきところを、テレシネフィールドデータＨ２と異なる画像フィールドデータＩ１で構成される映像信号Ｓｉが制御サイクルＣｃ６９に出力される。結果、このような異なる画像フィールドで構成されたフレーム画像は不完全かつ著しく醜いものになる。なお、制御サイクルＣｃ６８において、映像信号Ｓｉは非テレシネ映像Ｖｎｔに変わっているので、本来ならば、制御サイクルＣｃ６９においては、映像信号ＳｉはフィールドデータＩ１とその遅延フィールドデータＩ１’で構成されるべきである。
【００５７】
なお、制御サイクルＣｃ６９およびＣｃ７１においては、上述の制御サイクルＣｃ２０およびＣｃ２２におけると同様に、ＩＰ＿ｍｏｄｅ＝ＩＰ、Ｍｏｄｅ＿ｆ＝０、そして出力フラグＦ＝０が出力されて、映像信号Ｓｉが正しく構成される。上述のように、従来のテレシネ映像信号検出装置Ｄｔｃにおいては、２−３プルダウン変換されたテレシネ映像信号Ｓｖにおいて、連続する５つのフィールドデータの第３番目と第５番目のフィールドデータが同一であるか否かによって、現フィールドデータがテレシネ映像信号であるか否かを判断している。
【００５８】
よって、基本的に、テレシネ映像信号Ｓｖがテレシネ映像単位Ｔｕが不完全、つまり連続５フィールドに満たない途中で、非テレシネ映像Ｖｎｔに変わるような状態で入力されると、現フィールドデータがテレシネ映像Ｖｔか非テレシネ映像Ｖｎｔかを正しく判断できない。
【００５９】
よって、図１４に示すように、テレシネ映像単位Ｔｕの第５番目のフィールドが欠落している場合には、２−３プルダウン方式においては、第３番目と第４番目のフィールドデータは同源フィールドデータであるため、そのままテレシネ映像におけるフレーム生成をしても画像に乱れを生じさせる問題は無い。
【００６０】
しかしながら、図１７に示すように、テレシネ映像単位Ｔｕの第４番目以降のフィールドデータが欠落している場合、テレシネ映像単位Ｔｕの第３番目の後（つまり第４番目の位置）に、異なる画像のフィールドデータが配置される。そのため、異なる画像フィールドでフレーム構成された乱れた画像の映像信号Ｓｉが出力されるという誤動作を招いてしまう。
【００６１】
本発明は上記問題に鑑み、編集作業等の処理により生じる不連続なテレシネ信号に対しても逐次テレシネ映像信号検出ができるテレシネ映像信号検出装置を提供することを目的とする。
【００６２】
【課題を解決するための手段および発明の効果】
上記課題を解決するために、第１の発明は、２−３プルダウン方式でインターレース信号に変換されたテレシネ映像信号において、編集などによりテレシネ信号の１部分が欠落した場合に欠落部分を検出し、連続的にテレシネ変換されているか否かを判定するテレシネ映像信号検出装置であって、
テレシネ映像信号の第１のフィールドと、フィールドより少なくとも１フィールド以上離れた第２のフィールドとの間での画像の動きを検出して動き検出信号を生成する動き検出器と、
動き検出信号を１フィールド間累積加算して第１統計信号を生成する第１統計処理器と、
第１統計信号に基づいて、第１のフィールドがテレシネ変換された映像であるか否かを判定して第１テレシネ判定信号を生成する第１のテレシネ判定器と、
テレシネ映像信号について１フィールド間ヒストグラム演算を行い映像の統計情報を含む第２統計信号を生成する第２の統計処理器と、
第２統計信号を少なくとも１フィールド遅延させて遅延第２統計信号を生成する１フィールド遅延器と、
第２統計信号と遅延第２統計信号と所定の閾値とに基づいて、テレシネ映像におけるシーンチェンジを検出してシーンチェンジ検出信号を生成するシーンチェンジ検出器と、
シーンチェンジ検出信号と第１テレシネ判定信号に基づいて、第１のフィールドが連続的にテレシネ変換された映像であるか否かを判定して第２テレシネ判定信号を生成する第２の判定器と、
第１テレシネ判定信号および第２テレシネ判定信号のＡＮＤ演算を行うＡＮＤ演算器とを備え、ＡＮＤ演算結果に基づいて第１フィールドが連続的にテレシネ変換された映像であるか否かを示すことを特徴とする。
【００６３】
上述のように、第１の発明においては、前記２つのテレシネ判定器のＡＮＤをとることにより連続的にテレシネ変換された映像であると判別できる。結果、編集などによりテレシネ信号の１部分が欠落した場合にその部分を検出し、連続的にテレシネ変換されているか否かを判定することができる。
【００６４】
第２の発明は、第１の発明において、所定の閾値は複数であり、シーンチェンジ検出器は適応的にシーンチェンジを検出することを特徴とする。
【００６５】
第３の発明は、第１の発明において、第２統計処理器は複数の第２統計信号を出力し、
シーンチェンジ検出器は、
個々が複数の第２統計信号のそれぞれに対応して、複数のシーンチェンジ検出信号を生成する複数のシーンチェンジ検出回路と、
複数のシーンチェンジ検出信号を入力としてＯＲ演算を行うＯＲ演算器とを備え、
複数のシーンチェンジ検出信号のＯＲ演算結果をもって、映像信号のシーンチェンジを検出することを特徴とする。
【００６６】
第４の発明は、第１の発明において、第１の判定器は、第１統計信号を５フィールド遅延させてタイミング信号を生成する５フィールド遅延器を備え、
タイミング信号に基づいて、第１テレシネ判定信号および第２テレシネ判定信号の何れかを選択的に出力する選択器を備え、映像信号がテレシネ変換された映像であるか否かを連続的に判別することを特徴とする。
【００６７】
第５の発明は、第４の発明において、遅延第２統計信号をさらに２フィールド遅延させて遅延第３統計信号を生成する２フィールド遅延器と、
第１テレシネ判定信号に基づいて、動き検出信号と映像信号の何れかをフィールド単位で、第１統計処理器に選択的に入力させる第１スイッチと、
第１スイッチで第１統計処理器への入力を切り替えながら統計処理を行うことで、第１統計処理器のみで動き検出信号を１フィールド間累積した結果と入力信号の１フィールド間の統計処理結果を出力し、シーンチェンジ検出器の出力に応じて第１統計信号を第１テレシネ判定器とシーンチェンジ検出器の何れに入力するかを切り替える第２スイッチとをさらに備える。
【００６８】
【発明の実施の形態】
（第１の実施の形態）
以下に、図１、図２、図３、図４、図５、図６、および図７を参照して本発明の第１の実施形態にかかるテレシネ映像信号検出装置について説明する。図１に示すように、本例にかかるテレシネ映像信号検出装置Ｄｔｐ１は、１フレーム遅延器２、動き検出器３、第１統計処理器４、第１テレシネ判定器５、第２統計処理器６、１フィールド遅延器７、シーンチェンジ検出器８、第２テレシネ判定器９、およびＡＮＤ回路１０を含む。
【００６９】
１フレーム遅延器２は入力された映像信号Ｓｖを１フレーム遅延させて、遅延映像信号Ｓｖｄを生成する。
【００７０】
動き検出器３は、１フレーム遅延器２から出力される遅延映像信号Ｓｖｄと映像信号Ｓｖに基づいて、両映像信号間の間に動きが有ったか否かを検出して、動き検出信号Ｓｍを生成する。
【００７１】
第１統計処理器４は、動き検出器３から出力される動き検出信号Ｓｍを１フィールド間累積加算して第１統計信号Ｓｓ１を生成する。
【００７２】
第１テレシネ判定器５は、第１統計処理器４から出力される第１統計信号Ｓｓ１に基づいて、映像信号Ｓｖのそのフィールドがテレシネ変換された映像であるか否かを判定して、第１のテレシネ判定信号Ｓｔ１と生成するとともに、第２テレシネ判定器９のタイミング信号Ｓｓ１ｄを生成する。
【００７３】
第２統計処理器６は映像信号Ｓｖを１フィールド間蓄積してヒストグラム演算を行い第２統計信号Ｓｓ２を生成する。
【００７４】
１フィールド遅延器７は、第２統計処理器６から出力される第２統計信号Ｓｓ２を１フィールド遅延させて遅延第２統計信号Ｓｓ２ｄを生成する。
【００７５】
シーンチェンジ検出器８は第２統計処理器６から出力される第２統計信号Ｓｓ２と１フィールド遅延器７から出力される遅延第２統計信号Ｓｓ２ｄに基づいて、所定の閾値Ｃｘを用いて映像信号Ｓｖがシーンチェンジしている時にシーンチェンジ検出信号Ｓｓｃを生成する。なお、シーンチェンジとは、映像信号Ｓｖがテレシネ映像Ｖｔの場合は、連続する２つのフィールドデータが同源である状態を言う。また、フィールドデータがテレシネ映像Ｖｔから非テレシネ映像Ｖｎｔに切り替わる場合を言う。
【００７６】
第２テレシネ判定器９は、シーンチェンジ検出器８から出力されるシーンチェンジ検出信号Ｓｓｃと、第１テレシネ判定器５から出力されるタイミング信号Ｓｓ１ｄとに基づいて、映像信号Ｓｖのフィールドがテレシネ変換された映像であるか否かを判定して第２テレシネ判定信号Ｓｔ２を生成する。
【００７７】
ＡＮＤ回路１０は第１テレシネ判定器５から出力される第１テレシネ判定信号Ｓｔ１と、第２テレシネ判定器９から出力される第２テレシネ判定信号Ｓｔ２とのＡＮＤ演算を行い演算結果Ｒを出力する。
【００７８】
次に図２を参照して、第１テレシネ判定器５の構成について説明する。なお、第１テレシネ判定器５は、図１３に示したテレシネ映像信号検出装置Ｄｔｃにおける５フィールド遅延回路２００および判定回路２２０が果たしているのと同様の動作を行う。つまり、テレシネ映像信号は１フレーム遅延信号との間で５フィールド毎に同一の信号が送られていることを利用して、映像信号Ｓｖがテレシネ信号か否かを判定する。第１テレシネ判定器５は、５フィールド遅延器１３、ＡＮＤ回路１４、およびラッチ１５を含む。５フィールド遅延器１３は、第１テレシネ判定器５に入力された第１統計信号Ｓｓ１を５フィールド遅延させて、前述のタイミング信号Ｓｓ１ｄを生成する。タイミング信号Ｓｓ１ｄは、第１テレシネ判定器５のタイミング出力信号として第２テレシネ判定器９に出力される。
【００７９】
ＡＮＤ回路１４は、５フィールド遅延器１３から出力されるタイミング信号Ｓｓ１ｄと、第１統計信号Ｓｓ１とのＡＮＤ演算を行い演算結果Ｒａを出力する。ラッチ１５は、５フィールド遅延器１３から出力されるタイミング信号Ｓｓ１ｄの値が１の時には入力信号である演算結果Ｒａをロードし、タイミング信号Ｓｓ１ｄが０の時には演算結果Ｒａをホールドする。
【００８０】
次に図３を参照して、第２テレシネ判定器９の構成について説明する。なお、第２テレシネ判定器９は、後述するように本発明における主な特徴である、編集等により映像信号Ｓｖにおいて２−３プルダウンの規則が突然に喪失した場合にでも、直ちに非テレシネ映像に対応した映像信号Ｓｉを生成処理を行うための信号を生成する。第２テレシネ判定器９は、反転器２０、ＡＮＤ回路２２、１フィールド遅延器２３、ＯＲ回路２４、および反転器２５を含む。
【００８１】
反転器２０は、第１テレシネ判定器５から出力されたタイミング信号Ｓｓ１ｄを反転して反転タイミング信号Ｓｓ１ｄｒを生成する。
【００８２】
ＡＮＤ回路２２は、反転器２０から出力される反転タイミング信号Ｓｓ１ｄｒとＯＲ回路２４の出力信号ＲｃのＡＮＤ演算を行い、演算結果Ｒｂを出力する。
【００８３】
ＯＲ回路２４は、シーンチェンジ検出器８から出力されるシーンチェンジ検出信号Ｓｓｃと、１フィールド遅延器２３から出力される１フィールド前のシーンチェンジ状態を表す演算結果ＲｂとのＯＲ演算を行い、演算結果ＲｃをＡＮＤ回路２２に出力する。
【００８４】
反転器２５は、ＡＮＤ回路２２から出力される演算結果Ｒｂを反転させて前述の第２テレシネ判定信号Ｓｔ２を出力する。
【００８５】
次に図４および図５を参照して、上述のテレシネ映像信号検出装置Ｄｔｐ１の動作について説明する。
図４において、Ａ１、Ａ２はＡというフィルム映像を２−３プルダウンによりインターレース信号に変換したテレシネ映像信号を示し、Ｂ１、Ｂ２、Ｂ１はＢというフィルム映像を２−３プルダウンによりインターレース信号に変換したテレシネ映像信号を示す。Ｃ、Ｄ、Ｅ、Ｆ、Ｇについても同様に２−３プルダウンによりインターレース信号に変換されたテレシネ映像信号である。
【００８６】
図４において、上から第１段目に連続してテレシネ映像信号Ｓｖｔを示す。第２段目に、編集によりＣ１、Ｄ２、Ｄ１、およびＤ２の部分が欠落した状態となり受信機に送出された場合の欠落テレシネ映像信号Ｓｖｔｄを示す。なお、この欠落テレシネ映像信号Ｓｖｔｄが映像信号Ｓｖとして、テレシネ映像信号検出装置Ｄｔｐ１に入力される。
【００８７】
第３段目に、１フレーム遅延器２から出力される遅延映像信号Ｓｖｄを示す。第４段目に、第１統計処理器４から出力される第１統計信号Ｓｓ１を示す。なお、遅延映像信号Ｓｖｄと映像信号Ｓｖ（欠落テレシネ映像信号Ｓｖｔｄ）に基づいて、動き検出器３および第１統計処理器４は、１フィールド毎に画像が動いているか否かの判断を行う。１フレーム間の映像が動いている場合は、第１統計信号Ｓｓ１は０、同一映像である場合には１を出力する。
【００８８】
第５段目に、第１テレシネ判定器５の５フィールド遅延器１３から出力されるタイミング信号Ｓｓ１ｄを示す。テレシネ信号は１フレーム遅延信号（遅延映像信号Ｓｖｄ）との間では、５フィールド毎に全く同じ信号（同一のフィールドデータ）を得ることができる。それゆえに、テレシネ信号の規則が保たれている場合には、第１統計信号Ｓｓ１とタイミング信号Ｓｓ１ｄは同じ信号になる筈である。しかしながら、図４の第１段目に示すように、削除されたフィールド（Ｃ１、Ｄ２、Ｄ１、Ｄ２）があるために第１統計信号Ｓｓ１とタイミング信号Ｓｓ１ｄは同じタイミングにはならない。このタイミングの違いに基づいて、映像信号Ｓｖがテレシネ信号でないことを判断している
【００８９】
第６段目に第１テレシネ判定器５から出力される第１テレシネ判定信号Ｓｔ１を示す。つまり、第１テレシネ判定器５は、第１統計信号Ｓｓ１と、第１統計信号Ｓｓ１を５フィールド遅延させて生成したタイミング信号Ｓｓ１ｄのＡＮＤをとった結果（Ｒａ）をタイミング信号Ｓｓ１ｄのタイミングでラッチした結果を第１テレシネ判定信号Ｓｔ１として出力する。
【００９０】
ただし、図４は、従来のテレシネ映像信号検出装置Ｄｔｃにおけるのと同じ動作を示しているだけである。それゆえ、この第１テレシネ判定信号Ｓｔ１に基づいて、映像信号Ｓｉを出力すると、第７段目に示すように２枚のエラー画面（フィールドＥ１およびＣ２で構成されるフレームと、フィールドデータＣ２およびＥ１で構成されるフレーム）を出力した後に、やっとテレシネ処理を終了する。これは、テレシネ信号を５フィールド毎に判断しているからで、従来のテレシネ映像信号検出装置Ｄｔｃにおける課題である。本発明においては、以下に示すように、さらに別の判断部を設けることによって、このようなエラー画面の出力を回避している。
【００９１】
次に、図５に、映像信号Ｓｖ（欠落テレシネ映像信号Ｓｖｔｄ）、第２統計信号Ｓｓ２、遅延第２統計信号Ｓｓ２ｄ、シーンチェンジ検出信号Ｓｓｃ、反転タイミング信号Ｓｓ１ｄｒ、演算結果Ｒｂ、第２テレシネ判定信号Ｓｔ２、第１テレシネ判定信号Ｓｔ１、演算結果Ｒ、および映像信号Ｓｉを対比して示す。
【００９２】
第２統計処理器６は、映像信号Ｓｖ（欠落テレシネ映像信号Ｓｖｔｄ）を入力として１フィールド間の各輝度レベルの度数を演算しヒストグラムを出力する（第２統計信号Ｓｓ２）。また、１フィールド遅延器７は、第２統計信号Ｓｓ２を１フィールド遅延させて、遅延第２統計信号Ｓｓ２ｄを出力する。
【００９３】
シーンチェンジ検出器８は、１フィールド間でのヒストグラムの出力結果（の差（第２統計信号Ｓｓ２−遅延第２統計信号Ｓｓ２ｄ））が予め定められた閾値Ｃｘよりも大きい場合には１、それ以外場合は０をシーンチェンジ検出信号Ｓｓｃとして出力する。
【００９４】
第２テレシネ判定器９は、シーンチェンジ検出器８から出力されるシーンチェンジ検出信号Ｓｓｃを、反転器２０から出力される反転タイミング信号Ｓｓ１ｄｒが０の時に０にリセットし、反転タイミング信号Ｓｓ１ｄｒが１の期間でシーンチェンジ検出信号Ｓｓｃが１になった場合は次にリセットがかかるまで１のデータを保持する（演算結果Ｒｂ）。反転器２５は演算結果Ｒｂを反転させて第２テレシネ判定信号Ｓｔ２を生成する。
【００９５】
第２テレシネ判定信号Ｓｔ２は、２−３プルダウン方式で送られてくる５フィールドで１組の信号（テレシネ映像単位Ｔｕ）に関して、２番目と４番目の信号を見ると、それぞれ１つ前（すなわち、１番目と３番目）の信号と相関性が高い（つまり同源フィールドデータである）。第２テレシネ判定信号Ｓｔ２は、このことを利用して、１番目と２番目のフィールドデータ若しくは３番目と４番目のフィールドデータの相関性が無くなっているかを示す。すなわち、本発明においては、従来のテレシネ映像信号検出装置Ｄｔｃにおける５フィールド毎の検出に加えて、５フィールド中の２番目および４番目で検出を行うことで、エラー発生を防止するものである。
【００９６】
第２テレシネ判定信号Ｓｔ２と第１テレシネ判定信号Ｓｔ１とをＡＮＤ回路１０でＡＮＤをとった結果が演算結果Ｒとなり、この結果をテレシネ変換の判定信号（出力フラグＦに相当）として出力する。これによりテレシネ映像信号Ｓｖｔの１部分が欠落した場合（映像信号Ｓｖ）に、その部分を検出し、連続的にテレシネ変換されているか否かを判定することが可能となる。
【００９７】
図５の第１０段目に、演算結果Ｒに基づく映像信号Ｓｉのフレーム構成を示す。２−３プルダウン処理された映像信号Ｓｖのテレシネ映像単位Ｔｕにおける２番目と４番目で、テレシネ信号の有無を判断するので、テレシネ規則が破られていれば、その時点で検出できる。同図において、第２テレシネ判定信号Ｓｔ２の立ち下がりエッジにおいてシーチェンジチェンジ検出信号Ｓｓｃが立ち上がり、映像信号Ｓｉがテレシネ映像Ｖｔから非テレシネ映像Ｖｎｔにシーンチェンジしていることが検出できている。結果、テレシネ映像Ｖｔ直後の非テレシネ映像Ｖｎｔにおいても、映像信号ＳｉはフィールドデータＣ２とその遅延フィールドデータＣ２’から構成されて、エラー画面の発生を防止している。
【００９８】
次に、図６に示すフローチャートを参照して、テレシネ映像信号検出装置Ｄｔｐ１の動作についてさらに詳しく説明する。なお、同フローチャートは、既に詳述した図１５に示したフローチャートにステップＳ２、Ｓ４、Ｓ６、およびＳ８が追加されてる点を除けば、図１５に示したフローチャートと同一である。すなわち、この部分が図１に示した第２統計処理器６、１フィールド遅延器７、シーンチェンジ検出器８、および第２テレシネ判定器９を中心とする構成要素の働き該当する。ゆえに、これら新たに追加されたステップＳ２、Ｓ４、Ｓ６、およびＳ８に関してのみ説明する。
【００９９】
先ずステップＳ２は、ステップＳ２０２とステップＳ２１８の間に挿入されて、Ｍｏｄｅ＿ｆが２または４であるか否かが判断される。Ｎｏ、つまりテレシネ画像でないと見なせる場合は、処理は従来のテレシネ映像信号検出装置Ｄｔｃと同様にステップＳ２１８に進む。一方、Ｙｅｓの場合はテレシネ画像である可能性があるので、処理はステップＳ４に進む。
【０１００】
ステップＳ４において、第２統計処理器６は映像信号Ｓｖの輝度分布をとり第２統計信号Ｓｓ２を出力する。なお、ステップＳ４に８段階に輝度分布をとる例が示されているが、必要に応じて８段階以外の任意の段数で輝度分布をとっても良いことは言うまでもない。そして、処理は次のステップＳ６に進む。
【０１０１】
ステップＳ６において、シーンチェンジ検出器８は第２統計信号Ｓｓ２と遅延第２統計信号Ｓｓ２ｄの差分をとる。そして、処理は次のステップＳ８に進む。
【０１０２】
ステップＳ８において、シーンチェンジ検出器８はステップＳ６で求めた差分Ｓｙｘが閾値Ｃｘより小さいか否かが判断される。Ｙｅｓの場合は、５フィールドを１組とするテレシネ映像単位Ｔｕにおいて、２番目および４番目のフィールドデータは相関性が高いと判断され、テレシネ映像Ｖｔに関する信号処理を継続する。そして、処理はステップＳ２１８に進んでＭｏｄｅ＿ｆの値が１だけインクリメントされて１または５になり、テレシネ画像に対する処理がなされる。
【０１０３】
一方、ステップＳ８においてＮｏの場合は、５フィールドで１組のテレシネ映像単位Ｔｕにおいて、１番目と２番目および３番目と４番目のそれぞれのフィールドデータは相関性が高いという１フレーム遅延器２−動き検出器３プルダウン方式による信号の規則が成立していないので、テレシネ映像ではないと判断される。そして、処理はステップＳ２０６に進みテレシネ映像単位カウンタＣｏｕｎｔｅｒが０にセットされる。
【０１０４】
次に、図７を参照して、図６に示したフローチャートに基づいて、テレシネ映像信号検出装置Ｄｔｐ１の制御サイクル毎の動作について詳しく説明する。なお、図７は、従来のテレシネ映像信号検出装置Ｄｔｃにおける問題点を説明するために参照した図１７にて示すのと同様に、映像信号Ｓｖは、フイールド期間毎に、フィールドデータＥ２、Ｆ１、Ｆ２、Ｆ１、Ｇ２、Ｇ１、Ｈ２、Ｉ１、Ｊ２、Ｋ１、およびＬ２の順番で入力される。
【０１０５】
この場合、映像信号Ｓｖは、制御サイクルＣｃ６１〜Ｃｃ６７はテレシネ映像Ｖｔであり、制御サイクルＣｃ６８〜Ｃｃ７１の間は非テレシネ映像Ｖｎｔである。つまり、制御サイクルＣｃ６８においては、１つ前のフィールドデータＨ２の同源フィールドデータＨ１ではなく、異なる画像のフィールドデータＩ１が入力されている。なお、同図において、Ｓｃ１、Ｓｃ２、およびＳｃ３は、映像信号Ｓｖにおいて、シーンチェンジが行われていることを示している。
【０１０６】
本例においても、制御サイクルＣｃ６０〜Ｃｃ６４は完全なテレシネ映像単位Ｔｕｘであるので、「連続する２つのテレシネ映像単位Ｔｕ内で、現在のフィールドデータが２つ前（２制御サイクル前）のフィールドデータと同一であると２回判定された時点で、映像信号Ｓｖはテレシネ映像である」の条件が満たされる。それゆえ、制御サイクルＣｃ６５において、テレシネ映像単位Ｔｕｘに続くテレシネ映像単位Ｔｕｘ＋１が開始しているものと見なし、連続する制御サイクルＣｃ６５、Ｃｃ６６、およびＣｃ６７において、上述の制御サイクルＣｃ１６〜Ｃｃ１８と同様に、ＩＰ＿ｍｏｄｅ＝Ｆｉｌｍ、Ｍｏｄｅ＿ｆとして１、２、および３が、出力フラグＦ＝１とともに出力される。
【０１０７】
一方、制御サイクルＣｃ６８においては、上述の第２テレシネ判定器９およびその出力である第２テレシネ判定信号Ｓｔ２により、制御サイクルＣｃ６７におけるテレシネ映像ＶｔであるフィールドデータＨ２から、非テレシネ映像ＶｎｔであるフィールデータＩ１に切り替わっていることが検出されている。それゆえ、ステップＳ２０２、Ｓ２、Ｓ４、Ｓ６、Ｓ８、およびＳ２０６を経て、ステップＳ２０８でＩＰ＿ｍｏｄｅ＝ＩＰが出力される。さらに、ステップＳ２１０においてＭｏｄｅ＿ｆ＝０が出力され、ステップＳ２２２を経てステップＳ２２４において出力フラグＦ＝０が出力される。
【０１０８】
そして、出力フラグＦ＝０であるので、制御サイクルＣｃ６９においては、従来のテレシネ映像信号検出装置Ｄｔｃのように誤って映像信号ＳｉをテレシネフィールドデータＨ２と異なる画像フィールドデータＩ１で構成せずに、フィールドデータＩ１とその遅延フィールドデータＩ１’で正しく構成される。
なお、制御サイクルＣｃ７０およびＣｃ７１においては、上述の制御サイクルＣｃ２１およびＣｃ２２におけると同様に、ＩＰ＿ｍｏｄｅ＝ＩＰ、Ｍｏｄｅ＿ｆ＝０、そして出力フラグＦ＝０が出力されて、映像信号Ｓｉが正しく構成される。
【０１０９】
上述の如く、本実施形態においては、２−３プルダウン方式でインターレース信号に変換されたテレシネ信号において、少なくとも１フィールド以上離れた映像信号間で画像が動いているか否かを検出する動き検出器と、動き検出器の結果を１フィールド間累積加算する第１統計処理器と、第１統計処理器の結果からそのフィールドがテレシネ変換された映像であるか否かを判定する第１テレシネ判定器と、入力信号について１フィールド間ヒストグラム演算を行うことで、その映像の統計情報を検出する第２統計処理器と、第２統計処理器の出力を少なくとも１フィールド遅延させる１フィールド遅延器と、第２統計処理器の出力と前記１フィールド遅延器の出力信号から予め定められた閾値を用いてシーンチェンジを検出するシーンチェンジ検出器と、シーンチェンジ検出器の結果と前記第１テレシネ判定器の結果からそのフィールドが連続的にテレシネ変換された映像であるか否かを判定する第２テレシネ判定器と、前記２つのテレシネ判定器のＡＮＤをとるＡＮＤ回路により連続的にテレシネ変換された映像であると判別することを特徴とする。結果、編集などによりテレシネ信号の１部分が欠落した場合にその部分を検出し、連続的にテレシネ変換されているか否かを判定することができる。
【０１１０】
（第２の実施の形態）
以下に、本発明の第２の実施形態にかかるテレシネ映像信号検出装置について、図８および図９を参照して説明する。図８に示すように、本例にかかるテレシネ映像信号検出装置Ｄｔｐ２は、図１に示したテレシネ映像信号検出装置Ｄｔｐ１のシーンチェンジ検出器８がシーンチェンジ検出器６８に交換されている点を除いては、テレシネ映像信号検出装置Ｄｔｐ１と同じ構成であるので、シーンチェンジ検出器６８に関してのみ説明する。
【０１１１】
シーンチェンジ検出器８が１つの閾値Ｃｘの入力を受けるのに対して、シーンチェンジ検出器６８は複数の閾値Ｃｘ１、Ｃｘ２、・・・・Ｃｘｎ（ｎは任意の整数）の入力を受けるように構成されている。なお、図８においては、簡便化のために２つの閾値Ｃｘ１およびＣｘ２が入力される例が表示されている。
図８において、第２統計処理器６の出力（第２統計信号Ｓｓ２）と１フィールド遅延器７の出力（遅延第２統計信号Ｓｓ２ｄ）が同一フレームから構成される映像（Ａ１、Ａ２など）である場合とそうでない映像（Ａ２、Ｂ１など）について、それぞれの予め定められた閾値で適応的にシーンチェンジを検出する。これにより、閾値を１つだけでシーンチェンジ検出を行う場合に比べてより高精度にシーンチェンジを検出することが可能となる。
【０１１２】
図９に示すフローチャートを参照して、テレシネ映像信号検出装置Ｄｔｐ２の動作について説明する。同フローチャートは、図６に示したフローチャートにおいて、ステップＳ４、Ｓ６、およびＳ８がそれぞれステップＳ１４、Ｓ１６、およびＳ１８に置き換えられている点を除いては、既に説明した図６に示したフローチャートと同じ構成であるので、これら新しいステップＳ１４、Ｓ１６、およびＳ１８に関してのみ説明する。
ステップＳ２において、Ｙｅｓと判断された場合にのみステップＳ１４、Ｓ１６、およびＳ１８の処理が実行される。
【０１１３】
ステップＳ１４においては、最大輝度、最小輝度、および平均輝度が求められる。ステップＳ１６においては、ステップＳ１４で求められた最大輝度、最小輝度、および平均輝度に基づいて、１フィールド前の輝度分布との差分が求められる。
【０１１４】
ステップＳ１８においては、ステップＳ１６で求められた最大差分値ＳＹ＿ＭＡＸ、最小差分値ＳＹ＿ＭＩＮ、および平均差分値ＳＹ＿ＡＶがそれぞれ異なる閾値Ｃｘ１、Ｃｘ２、およびＣｘ３より小さいか否かが判断される。Ｙｅｓの場合は、映像信号Ｓｖはテレシネ映像Ｖｔであると見なされて、処理はステップＳ２１８に進む。一方、Ｎｏの場合は、映像信号Ｓｖは非テレシネ映像Ｖｎｔであると見なして、処理はステップＳ２０６に進む。
【０１１５】
上述の如く、本実施形態においては、さらに、シーンチェンジ検出器は第２統計処理器の出力と前記１フィールド遅延器の出力信号から複数個の閾値により適応的にシーンチェンジを検出することを特徴とする。
【０１１６】
（第３の実施の形態）
以下に、図１０を参照して、本発明の第３の実施形態にかかるテレシネ映像信号検出装置について説明する。本例にかかるテレシネ映像信号検出装置Ｄｔｐ３は、図８に示したテレシネ映像信号検出装置Ｄｔｐ２において、シーンチェンジ検出器６８がシーンチェンジ検出器７８と置き換えられている点を除いては、テレシネ映像信号検出装置Ｄｔｐ２と同じ構成であるので、シーンチェンジ検出器７８に関して説明する。
【０１１７】
図１０において、シーンチェンジ検出器７８は複数のシーンチェンジ検出器８、あるいは複数のシーンチェンジ検出器６８で構成され、各シーンチェンジ検出器の出力信号のＯＲをとるＯＲ回路７８ａで構成されている。各シーンチェンジ検出器８（６８）へ入力される信号は第２統計処理器６から出力されるが、１フィールド間の輝度信号の平均値、最大値、あるいは累積値などを用い、それぞれを１フィールド遅延した信号を用いてシーンチェンジを検出する。
【０１１８】
これにより、ヒストグラムを用いない場合でも平均値などを使用してシーンチェンジを検出することが可能となる。また、それぞれのＯＲをとることにより平均値のみの検出と比べてより高精度にシーンチェンジを検出することが可能となる。
【０１１９】
上述の如く、本実施形態にかかるテレシネ映像信号検出装置は、さらに第２統計処理器から複数の出力を行い、それぞれの出力を複数のシーンチェンジ検出器へ入力し、それぞれのシーンチェンジ検出器の出力のＯＲをとることによりシーンチェンジを検出することを特徴とする。
【０１２０】
（第４の実施の形態）
以下に、図１１を参照して、本発明の第４の実施形態にかかるテレシネ映像信号検出装置について説明する。本例にかかるテレシネ映像信号検出装置Ｄｔｐ４は、図１に示したテレシネ映像信号検出装置Ｄｔｐ１におけるＡＮＤ回路１０がセレクタ８１０に置き換えられている以外は、テレシネ映像信号検出装置Ｄｔｐ１と同じ構成であるので、セレクタ８１０に関してのみ説明する。
【０１２１】
セレクタ８１０は、第１テレシネ判定器５から出力される第１テレシネ判定信号Ｓｔ１と、第２テレシネ判定器９から出力される第２テレシネ判定信号Ｓｔ２を、第１テレシネ判定器５から出力されるタイミング信号Ｓｓ１ｄのタイミングで切り替える。第１テレシネ判定器５は、タイミング信号Ｓｓ１ｄが１である時にデータをロードし、０の時にはホールドする。第２テレシネ判定器９はタイミング信号Ｓｓｌｄが１である時にはリセットされ、それ以外ではシーンチェンジ検出の演算を行う。
【０１２２】
そこで、タイミング信号Ｓｓ１ｄが１である時には第１テレシネ判定器５から出力される第１テレシネ判定信号Ｓｔ１を選ぶ。そして、タイミング信号Ｓｓ１ｄが０である時には、第２テレシネ判定器９から出力される第２テレシネ判定信号Ｓｔ２を選ぶことで、タイミング信号Ｓｓ１ｄが０である場合には第１テレシネ判定器５中のＡＮＤ回路１４とラッチ１５による演算を行わない。タイミング信号Ｓｓ１ｄが１である場合には、シーンチェンジ検出器８と第２テレシネ判定器９による演算を行わせずに、インストラクション数を削減できる。
【０１２３】
本実施形態にかかるテレシネ映像信号検出装置は、さらに、第１テレシネ判定器の出力によって２つの判定回路の出力を切り替えるスイッチ回路を備えることで連続的にテレシネ変換された映像を判別することを特徴とする。
【０１２４】
（第５の実施の形態）
以下に、図１２を参照して、本発明の第５の実施形態にかかるよるテレシネ映像信号検出装置について説明する。本例にかかるテレシネ映像信号検出装置Ｄｔｐ５は、図１１に示すテレシネ映像信号検出装置Ｄｔｐ４において、１フィールド遅延器７とシーンチェンジ検出器８の間に２フィールド遅延器９０３を新たに設け、さらに第１統計処理器４を第３統計処理器９０４に置き換えるとともにその両側にセレクタ９０１および９０２を新たに設けた点を除いて、テレシネ映像信号検出装置Ｄｔｐ４と同じ構成であるので、相違点についてのみ説明する。
【０１２５】
セレクタ９０１は動き検出器３から出力される動き検出信号Ｓｍと、映像信号Ｓｖを第１テレシネ判定器５から出力されるタイミング信号Ｓｓ１ｄのタイミングで切り替える。第３統計処理器９０４は、セレクタ９０１より入力される信号に対して１フィールド間で統計処理を行う。セレクタ９０２は第３統計処理器９０４からの出力信号をタイミング信号Ｓｓ１ｄによって第１テレシネ判定器５へ送出するか、１フィールド遅延器７とシーンチェンジ検出器８へ送出するかを選択する。
【０１２６】
２フィールド遅延器９０３は、１フィールド遅延器７から出力される遅延第２統計信号Ｓｓ２ｄをさらに２フィールド遅延させて、遅延第３統計信号Ｓｓ２ｄ’を生成する。セレクタ９０１は第１テレシネ判定器５のタイミング信号Ｓｓ１ｄが１である時に動き検出器３から出力される動き検出信号Ｓｍを選び、タイミング信号Ｓｓ１ｄが０である時に映像信号Ｓｖを選ぶ。
【０１２７】
第３統計処理器９０４はセレクタ９０１の入力を１フィールド間統計処理し、累積演算、ヒストグラム演算、平均値演算などを行う。
セレクタ９０２は第３統計処理器９０４からの出力を第１テレシネ判定器５のタイミング信号Ｓｓ１ｄが１である時に第１テレシネ判定器５に信号を送出し、タイミング信号Ｓｓ１ｄが０である時に１フィールド遅延器７とシーンチェンジ検出器８に信号を送出する。
【０１２８】
このとき、図４に示したフィールドデータＣ２、Ｅ１、Ｅ２、Ｆ１の期間で第２統計処理器６の処理を行うが、フィールドデータＣ２が入力された場合に１フィールド前のフィールドデータＢ１の信号は統計処理回路４によって処理されているので、この場合にはさらに２フィールド後のフィールドデータＢ１の信号を用いてシーンチェンジ検出を行う。これにより、動き検出器の出力信号を統計処理していた統計処理回路と、入力信号を統計処理していた統計処理回路を共用化することができ、回路規模を大幅に削減すること可能となる。
【０１２９】
本実施形態にかかるテレシネ映像信号検出装置は、さらに、第１テレシネ判定器の結果を用いて統計処理器における入力信号を動き検出器の結果と入力信号とをフィールド単位で切り替えるスイッチ回路を備える。該スイッチ回路で統計処理器への入力を切り替えながら統計処理を行うことで、１つの統計処理器で動き検出器の結果を１フィールド間累積した結果と入力信号の１フィールド間の統計処理結果を出力する。シーンチェンジ検出回路の出力に応じて統計処理回路の結果を判定回路に入力するかシーンチェンジ検出器に入力するかを切り替えるスイッチ回路を備えたことを特徴とする。
【０１３０】
以上のように本発明によれば、編集などによりテレシネ信号が不連続な状態となって受像機に送られた場合でも、フィールド毎にシーンチェンジであるか否かの判断を行うことにより編集の切れ目を判別し、テレシネ信号の誤検出を低減できる。
【図面の簡単な説明】
【図１】本発明の第１の実施の形態にかかるテレシネ映像信号検出装置の構成を示すブロック図である。
【図２】図１の第１テレシネ判定器の構成を示すブロック図である。
【図３】図１の第２テレシネ判定器の構成を示すブロック図である。
【図４】図１に示した第１テレシネ判定器の動作の説明図である。
【図５】図１に示したテレシネ映像信号検出装置の動作の説明図である。
【図６】図１に示したテレシネ映像信号検出装置の動作を示すフローチャートである。
【図７】図１に示したテレシネ映像信号検出装置の動作の説明図である。
【図８】本発明の第２の実施の形態にかかるテレシネ映像信号検出装置の構成を示すブロック図である。
【図９】図８に示したテレシネ映像信号検出装置の動作を示すフローチャートである。
【図１０】本発明の第３の実施の形態にかかるテレシネ映像信号検出装置の構成を示すブロック図である。
【図１１】本発明の第４の実施の形態にかかるテレシネ映像信号検出装置の構成を示すブロック図である。
【図１２】本発明の第５の実施の形態にかかるテレシネ映像信号検出装置の構成を示すブロック図である。
【図１３】従来のテレシネ映像信号検出装置の構成を示すブロック図である。
【図１４】図１３に示したテレシネ映像信号検出装置の判定回路の動作の説明図である。
【図１５】図１３に示したテレシネ映像信号検出装置の判定回路の動作を示すフローチャートである。
【図１６】図１３に示したテレシネ映像信号検出装置の判定回路におけるパラメータの遷移状態を示す図である。
【図１７】図１３に示したテレシネ映像信号検出装置の判定回路の動作における問題の説明図である。
【符号の説明】
Ｄｔｃ、Ｄｔｐ１〜Ｄｔｐ５  テレシネ映像信号検出装置
Ｓｖ  映像信号
２  １フレーム遅延器
３  動き検出器
４  第１統計処理器
５  第１テレシネ判定器
６  第２統計処理器
７  １フィールド遅延器
８、６８、７８  シーンチェンジ検出器
９  第２テレシネ判定器
１０、２２  ＡＮＤ回路
１３  ５フィールド遅延器
１４  ＡＮＤ回路、
１５  ラッチ
２０、２５  反転器
２４、７８ａ  ＯＲ回路
１００  前置フィルタ、
１２０  １フレーム遅延回路
１４０  動きベクトル検出回路
１６０  比較検出回路
１８０  多数決回路
２００  ５フィールド遅延回路
２２０  判定回路
８１０、９０１、９０２  セレクタ
９０４  第３統計処理器
【図１】
0003974743.tif 000002
【図２】
0003974743.tif 000003
【図３】
0003974743.tif 000004
【図４】
0003974743.tif 000005
【図５】
0003974743.tif 000006
【図６】
0003974743.tif 000007
【図７】
0003974743.tif 000008
【図８】
0003974743.tif 000009
【図９】
0003974743.tif 000010
【図１０】
0003974743.tif 000011
【図１１】
0003974743.tif 000012
【図１２】
0003974743.tif 000013
【図１３】
0003974743.tif 000014
【図１４】
0003974743.tif 000015
【図１５】
0003974743.tif 000016
【図１６】
0003974743.tif 000017
【図１７】
0003974743.tif 000018